(57)【要約】【課題】使用時には、洗濯物を数多く簡単且つ容易に干すことが出来ながら、物干し具を保管する際などにはコンパクトに畳むことが出来るパラソル式物干し具を提供する。【解決手段】複数本の物干し杆と、これら物干し杆を連結支持するための連結支持部材を有する支持杆とが備えられた物干し具であって、連結支持部材が、物干し杆の長さ方向一端に設けた連結環が連結されるリング部材と、このリング部材に連結された物干し杆の連結環を回転可能に受ける受け部材と、連結環を前記受け部材とで上下から挟む挟持部材とが備えられ、受け部材と挟持部材とにより、連結環をその上下から挟んで、物干し杆を支持杆に対して折り畳み位置と展開位置とに揺動可能にとすると共に、折り畳み位置では、隣接する物干し杆の側面同士が接触するように構成した。【選択図】図１
2008142377.tif 000002
【特許請求の範囲】
【請求項１】
複数本の物干し杆と、これら物干し杆を連結支持するための連結支持部材を有する支持杆とが備えられた物干し具であって、連結支持部材が、物干し杆の長さ方向一端に設けた連結環が連結されるリング部材と、このリング部材に連結された物干し杆の連結環を回転可能に受ける受け部材と、連結環を前記受け部材とで上下から挟む挟持部材とが備えられ、受け部材と挟持部材とにより、連結環をその上下から挟んで、物干し杆を支持杆に対して折り畳み位置と展開位置とに揺動可能とすると共に、折り畳み位置では、隣接する物干し杆の側面同士が接触するように構成されていることを特徴とす物干し具。
【請求項２】
物干し杆の連結環の外周には、突片が設けられると共に、受け部材には、前記突片が嵌合して、物干し杆の折り畳み位置乃至展開位置への揺動を案内するガイド部が設けられていることを特徴とする請求項１に記載の物干し具。
【発明の詳細な説明】
【技術分野】
【０００１】
本発明は、物干し竿に引っ掛けて洗濯物を干すためのパラソル式と称されている物干し具に関する。
【背景技術】
【０００２】
一般にこの種の物干し具は、上端にフックを設けた支持杆と、洗濯物を引っ掛けるための複数本の物干し杆とが備えられ、これら物干し杆は、支持杆の下端部に揺動可能に取り付けられて、支持杆に対して折り畳み位置と展開使用位置とに位置変更可能に設けられている。（特許文献１参照）
ところで以上の物干し具では、物干し杆を支持杆に揺動可能に取り付ける構造として、前記した文献にも開示されているように、支持杆の下部には、受け皿部と蓋部とから構成される中空のハウジングが組み付けられており、この中空ハウジングを構成する蓋部の周囲には、物干し杆の本数に対応する窓が複数個設けられると共に、この蓋部内における前記した窓と対応する部位には、左右一対の連結軸を備えた弾性変形可能な連結板が設けられている。
一方、物干し杆には抜け止め係止部が一体形成されており、この抜け止め係止部を蓋部の窓からハウジング内に挿入して、連結板の連結軸に係合させることで、物干し杆を中空ハウジングに揺動可能に取り付けて、物干し杆を支持杆に対して折り畳んだ位置と展開した位置とに位置変更できるようにしている。
しかしながら以上の構造の物干し具では、蓋部に設けた窓と窓の間に外壁が存在することから、複数の物干し杆を支持杆に対して折り畳んだ際に、物干し杆同士を互いに接触させることが出来ず、物干し杆が隣接する窓と窓との間の外壁に相当する間隔が開いた状態で折り畳まれることとなって、折り畳んだ物干し杆同士に必然的に隙間が生じる。
従って以上の物干し具では、結果として、折り畳んだ時の物干し具の外径が大きくなり、輸送時、店舗での陳列時、更には、家庭での保管時などにおいてそれだけ場所をとるという不具合があり、また物干し杆の本数を少なくして折り畳んだ際の物干し具の外径を小さくしようとすると、洗濯物の干せる枚数がそれだけ少なくなる不具合がある。
【特許文献１】特開２００３−２９０５９６号
【発明の開示】
【発明が解決しようとする課題】
【０００３】
本発明は以上の実情に鑑みて開発したものであって、目的とするところは、使用時には洗濯物を数多く簡単且つ容易に干すことが出来ながら、物干し具を保管する際などにはコンパクトに畳むことが出来るパラソル式物干し具を提供することにある。
【課題を解決するための手段】
【０００４】
以上の目的を達成するために、請求項１に記載の発明は、複数本の物干し杆と、これら物干し杆を連結支持するための連結支持部材を有する支持杆とが備えられた物干し具であって、
連結支持部材が、物干し杆の長さ方向一端に設けた連結環が連結されるリング部材と、このリング部材に連結された物干し杆の連結環を回転可能に受ける受け部材と、連結環を前記受け部材とで上下から挟む挟持部材とが備えられ、受け部材と挟持部材とにより、連結環をその上下から挟んで、物干し杆を支持杆に対して折り畳み位置と展開位置とに揺動可能とすると共に、折り畳み位置では、隣接する物干し杆の側面同士が接触するように構成されていることを特徴とするものである。
また請求項２に記載の発明は、請求項１に記載の物干し具において、物干し杆の連結環の外周には、突片が設けられると共に、受け部材には、前記突片が嵌合して、物干し杆の折り畳み位置乃至展開位置への揺動を案内するガイド部が設けられていることを特徴とするものである。
【発明の効果】
【０００５】
請求項１に記載の発明によれば、物干し杆の折り畳みに伴い、隣接する物干し杆同士の側面が接触して、従来の物干し具のように隣接する支持杆同士の側面間にデッドスペースが生じるようなことがないので、折り畳んで保管する際、特に外径が従来のものよりも小さくなり、全体の嵩が小さくなり、従って、物干し具の輸送時や店舗での陳列時、更には、家庭での保管時などにおいて場所をとらないし、それでいながら、しかも使用時には、所定本数の物干杆により洗濯物を数多く簡単且つ容易に干すことが出来る。
【０００６】
請求項２に記載の発明によれば、請求項１に記載の発明の効果に加え、物干し杆の折り畳み位置への揺動ならびに展開位置への揺動時、突片が嵌合する受け部材のガイド部の案内で、物干し杆の折り畳み位置への揺動ならびに展開位置への揺動が安定的にしかもスムーズに行なうことが出来る。
【発明を実施するための最良の形態】
【０００７】
以下、本発明にかかる物干し具のフック構造を説明する。
【０００８】
図において符号１で示すパラソル式物干し具は、基本的には、
洗濯物を引っ掛けるための複数本（実施形態では２０本）の物干し杆２と、
これら物干し杆２が後記の連結支持部材５を介して取り付けられる支持杆３と、
支持杆３の上端部に設けられるフック４と、
支持杆３の下端部に取り付けられて、物干し杆２を支持杆３に対して折り畳み位置と展開位置とに揺動可能に支持するための連結支持部材５が備えられている。
そして物干し杆２は、その長さ方向一端部が連結支持部材５の周囲に揺動可能に支持されて、支持杆３に対して折り畳まれる折り畳み位置と支持杆３に対してほぼ８５度に展開する展開位置とに位置変更可能となっており、支持杆３に対して折り畳まれた状態では、図１にも示すように、隣接する支持杆3同士の側面が接触するようにしている。
物干し杆２の長さ方向一端には、図３にも示すように、正面視略ドーナツ状の連結環２１が一体形成され、この連結環２１には、後記するリング部材６を連結環２１の外方から連結環２１内に挿入するための切り欠き通路２２と、連結環２１の外周面から外方、具体的には、物干し杆２の長さ方向外方に突出する突片２３が一体に形成されている。
また物干し杆２の長さ方向両端部には、この物干し杆２とで洗濯物を弾性的に挟持するためのクリップ片２４・２５がそれぞれ一体形成され、これらクリップ片２４・２５は、その遊端側が物干し杆２に対して離間する方向に弾性的に変形可能とすると共に、常時はその遊端部が物干し杆２に弾接するようにしている。
支持杆３は、円筒状のグリップ部３１と、このグリップ部３１の長さ方向一端に連結するロッド部３２とから構成されている。
グリップ部３１の下端部には、吊り掛け用リング３３が取り付けられると共に、このグリップ部３１には、その上端で開口する挿入孔３４が形成され、この挿入孔３４にロッド部３２の下端側を挿嵌することで、ロッド部３２の下端部をグリップ部３１の上端部に組み付けるようにしている。
またグリップ部３１の上端には、後記するネジ５１を羅着するためのねじ孔３５が設けられている。
支持杆３の上端部に設けられるフック４は、図１３に示すように、ガイド部材４ａと、このガイド部材４ａに対して所定ストローク上下動可能な可動フック部材４ｂと、この可動フック部材４ｂの上下動に連動して、可動フック部材４ｂの上方移動に伴い、この可動フック部材４ｂに対して次第近接すると共に可動フック部材４ｂの出入り口を閉じるロック部材４ｃとから構成されている。
ガイド部材４ａは、図１３にも示すように、支持杆３を構成するロッド部３２の上端から斜め上方に向けて湾曲状に伸びる湾曲部４１ａと、この湾曲部４１ａの遊端から上方に延びる第一直線部４２ａと、この第一直線部４２ａの上端から円弧状に湾曲する円弧部４３ａと、この円弧部４３ａの遊端から下方に延びる第二直線部４４ａから構成されており、第一直線部４２ａと第二直線部４４ａには、それぞれ上下方向に延びるガイド孔４５ａ・４６ａが形成されている。
可動フック部材４ｂは、図１３にも示すように、前述のガイド部材４ａを構成する第一直線部４２ａ及び円弧部４３ａに沿う可動側直線部４２ｂ及び可動側円弧部４３ｂから構成されている。
これら可動側直線部４２ｂ及び可動側円弧部４３ｂは、所定間隔開けて対向する一対の対向片４４ｂ・４５ｂが備えられ、可動側円弧部４３ｂの対向片４５ｂは、その長さ方向中央部下端で連結片４６ｂにより連結され、この連結片４６ｂの下面には、クッション材４７ｂが貼り付けられている。
尚、連結片４６ｂも湾曲している。
そしてこの可動フック部材４ｂは、ガイド部材４ａに対して所定ストローク上下動可能に設けられているのであって、具体的には、ガイドピン４９ｂがガイド孔４５ａ・４６ａにそれぞれ挿通されると共に、これらガイドピン４９ｂの両端部が可動側直線部４２ｂの下端部の対向片４４ｂ及び可動側円弧部４３ｂの遊端部の対向片４５ｂにそれぞれ連結されることで、ガイド孔４５ａ・４６ａに沿って可動フック部材４ｂがガイド部材４ａに対して所定ストローク上下動し、最大限上昇した時には、可動フック部材４ｂの可動側円弧部４３ｂがガイド部材４ａの円弧部４３ａにほぼ重なるようにしている。
ロック部材４ｃは、所定定間隔開けて対向する対向片４１ｃと、これら対向片４１ｃの長方向一端を連結する連結片４２ｃが備えられ、対向片４１ｃの長さ方向他端部は、枢軸４３ｃを介してガイド部材４ａにおける第1直線部４２ａに枢支されて、この枢軸４３ｃを支点にして遊端側が上下方向に揺動可能となっている。
またロック部材４ｃは、枢軸４３ｃの近くにおいて、長孔４４ｃが形成され、可動側フック部材４ｂにおける可動側直線部の下端に組みつけたガイドピン４９ｂを前記長孔４４ｃに介装することで、このガイドピン４４ｃを介して可動側フック部材４ｂにおける可動側直線部４２ｂの下端に連結されて、可動フック部材４ｂがガイド部材４ａに対して上昇するに伴い、可動フック部材４ｂの出入り口を閉じながら、ロック部材４ｃの遊端側、換言すれば、後記する押さえ体４５ｃが可動フック部材を構成する可動側円弧部４３ｂに順次近づくようにし、可動フック部材４ｂがガイド部材４ａに対して下降するに伴い、可動フック部材４ｂの出入り口を開きながら、押さえ体４５ｃが可動フック部材を構成する可動側円弧部４３ｂから順次遠ざかるようにしている。
またロック部材４ｃを構成する対向片４１ｃ間には、押さえ体４５ｃが支持軸４６ｃを介して所定角度揺動可能に支持されている。
この押さえ体４５ｃの上面は、湾曲状に窪んでおり、その上面には、クッション材４７ｃが貼り付けられている。
また可動フック部４ｂ及びこの可動フック部材４ｂに連動するロック部材４ｃは、常時はその自重により、ガイド部材４ａに対して降下し、可動フック部材４ｂの出入り口４０が開かれている。
一方、物干し杆２を支持杆３に対して揺動可能に支持するための連結支持部材５は、図１１にも示すように、
物干し杆２の連結環２１が連結される金属製のリング部材６と、
リング部材６に連結した連結環２１を回転可能に受ける受け部材７と、
この受け部材７を支持杆３のグリップ部３１に取り付けるための取り付け部材８と、
連結環２１を受け部材７とで挟むための挟持部材９とから構成されている。
受け部材７は、図５にも示すように、断面ハット形に形成され、その外周壁７１は、連結環２１が回動可能なように湾曲面に形成されると共に、この外周壁７１には、連結環２１から突出する突片２３が嵌合可能なスリット状の長孔からなるガイド部７２が形成され、上壁７３には、ロッド部３２の貫通孔７４と、後記するネジ５１の挿通孔７５が設けられている。
取り付け部材８は、図４にも示すように、グリップ部３１の上端部外周に円板状に一体形成されており、このグリップ部３１の外周には、展開した物干し杆２を支持杆３に対してほぼ８５度展開した位置で受け止めるための受け止め筒８１が設けられている。
【０００９】
挟持部材９は、図６に示すように円板状に形成され、その中央には、ロッド部３２を通すための貫通孔９１が形成されると共に、この挿通孔９１の外周りには、この挟持部材９をグリップ部３１に固定するためのネジ５１の挿通孔９２が形成されている。
また支持杆３を構成するロッド部３２の上部には、クリップ片２５の遊端部が弾性的に係合可能な係合板３６が取り付けられ、物干し杆２が支持杆３に対して折り畳まれた時点で、クリップ片２５の遊端部が係合板３６の外周縁に弾性的に係合して、物干し杆２が支持杆３に対して折り畳み位置で保持されると共に、隣接する支持杆3同士の側面が図１にも示すように接触するようにしている。
以上の構造から成る物干し具１を組み立てるには、先ず、図７に示すように、連結支持部材５を構成するリング部材６に物干し杆２の連結環２１を切り欠き通路２２を介して連結した後、受け部材７を連結環２１の下部に添えて、突片２３を受け部材７のガイド部７２に嵌め込む。
続いて、図８に示すように、以上のように物干し杆２がセットされた受け部材７を取り付け部材８上にセットした上で、物干し杆２を展開する。
そして展開させた物干し杆２の連結環２１上に挟持部材９をセットした後、図９に示すように、ネジ５１を挟持部材９の挿通孔９１から受け部材７の挿通孔７５に通して、その挿通端部をグリップ部３１のネジ孔３５を螺締し、しかる後、図１０に示すように、フック４が組み付けられたロッド部３２の下端部を、挟持部材９の貫通孔９１から受け部材７の貫通孔７４に挿通して、その挿通端部をグリップ部３１の挿入孔３４に挿嵌して、ロッド部３２の下端部をグリップ部３１の上端部に組み付けるのである。
以上のように組み立てられた物干し具１では、図１に示すように物干し杆２を折り畳むに伴い、クリップ片２５の遊端部が係合板３６の外周縁に弾性的に係合して、物干し杆２が支持杆３に対して折り畳み位置で保持されるので、物干し杆２が不用意に展開するようなことがない。
また物干し杆２の折り畳みに伴い、隣接する物干し杆２同士の側面が図１にも示すように接触して、従来の物干し具のように隣接する物干し杆同士の側面間にデッドスペースが生じるようなことがなく、従って、折り畳んで保管する際、特に外径が従来のものよりも小さくなり、全体の嵩が小さくなるので、物干し具の輸送時や店舗での陳列時、更には、家庭での保管時などにおいて場所をとらない。
一方、以上の構造からなる物干し具１により洗濯物を干すには、先ず折り畳んでいる物干し杆２を図１１に示すように支持杆３に対して使用位置に展開すると共に、フック４を物干し竿Ｌに引っ掛けて、物干し具１を物干し竿Ｌに吊り掛けた上で、順次洗濯物を物干し杆２に引っ掛ければよいのである。
ところで、フック４を物干し竿Ｌに引っ掛けるに際して、物干し竿Ｌに引っ掛ける前は、可動フック部材４ｂ及びロック部材４ｃは、常時はその自重により、図１２に示すように、ガイド部材４ａに対して降下し、可動フック部材４ｂの出入り口が開いている。
従って、支持杆３の下端部を手で持つだけで、可動フック部材４ｂの出入口から可動フック部材４ｂ内に物干し竿Ｌを直ちに挿入することが出来、かかる状態から支持杆３を持った手を離すと、物干し具1及び物干し杆２に吊り掛けた洗濯物の重さにより、可動フック部材４ｂがガイド部材４ａに対して上方にスライドすると共に、この可動フック部材４ｂの上方へのスライドに伴い、押さえ体４５ｃが物干し竿Ｌの下面側に圧接するまでロック部材４ｃ揺動して、図１４に示すように、可動フック部材４ｂの出入り口がロック部材４ｃで閉じられると共に、押さえ体４５ｃと可動フック部材４ｂの可動側円弧部４２ｂとで、物干し竿Ｌを挟み止めるのであって、この結果、物干し具１が物干し竿に対して不用意にズレ動いたりあるいは外れたりするようなことがない。
また物干し具１を物干し竿Ｌから取り外す場合には、支持杆３の下端部を手で持って、物干し具１全体を上方に持ち上げれば、可動フック部材４ｂ及びロック部材４ｃが、その自重によりガイド部材４ａに対して降下して、可動フック部材４ｂの出入り口が直ちに開かれる。
従って、支持杆３を手で持って物干し具全体を持上げるだけの極めて簡単且つ単純な作業だけで、フック４を物干し竿Ｌから直ちに取り外すことが出来る。
【図面の簡単な説明】
【００１０】
【図１】本発明にかかる物干し具の実施形態を示す斜視図。
【図２】同、平面図。
【図３】物干し杆の要部の斜視図。
【図４】グリップ部の斜視図。
【図５】受け部材の斜視図。
【図６】挟持部材の斜視図。
【図７】リング部材に物干し杆を組み付ける過程を示す説明図。
【図８】リング部材に組み付けた物干し杆の連結環に受け部材を沿わせる過程を示す説明図。
【図９】挟持部材をビス止めする過程を示す説明図。
【図１０】ロッド部をグリップ部に取り付ける過程を示す説明図。
【図１１】複数の物干し杆中の一部を省略して示す物干し具の要部の斜視図。
【図１２】物干し具のフック部分の斜視図。
【図１３】物干し具のフック部分の分解斜視図。
【図１４】物干し具のフック部分の作動説明図。
【符号の説明】
【００１１】
１        物干し具
２        物干し杆
３        支持杆
４        フック
５        連結支持部材
６        リング部材
７        受け部材
８        取り付け部材
９        挟持部材
【図１】
2008142377.tif 000003
【図２】
2008142377.tif 000004
【図３】
2008142377.tif 000005
【図４】
2008142377.tif 000006
【図５】
2008142377.tif 000007
【図６】
2008142377.tif 000008
【図７】
2008142377.tif 000009
【図８】
2008142377.tif 000010
【図９】
2008142377.tif 000011
【図１０】
2008142377.tif 000012
【図１１】
2008142377.tif 000013
【図１２】
2008142377.tif 000014
【図１３】
2008142377.tif 000015
【図１４】
2008142377.tif 000016